(57)【要約】【課題】人体の一部に装着される装着器具に人体通信用の電極が設けられていても、装着器具を容易に交換できる人体通信装置を提供する。【解決手段】人体通信装置は、装着器具３と装置本体２とを備える。装着器具３は、装着器具本体３１と、基準電極３２とを有する。基準電極３２は、装着器具本体３１に設けられている。装置本体２は、ホット電極６と、接続部７と、回路基板８と、ケース９とを有する。ホット電極６は、装着器具３が人体の一部に装着された状態で人体と容量結合する。接続部７は、基準電極３２と接続分離可能に電気的に接続されている。回路基板８は、ホット電極６及び接続部７と電気的に接続されている。ケース９には、ホット電極６、接続部７及び回路基板８が設けられている。ケース９及び装着器具３のうちの一方は、他方と着脱可能に連結する連結部９ｅを有する。【選択図】図３
2020036174.tif 000002
【特許請求の範囲】
【請求項１】
人体の一部に装着される装着器具と、
前記人体を伝送媒体の少なくとも一部に用いて通信を行う装置本体と、を備え、
前記装着器具は、
装着器具本体と、
前記装着器具本体に設けられた基準電極と、を有し、
前記装置本体は、
前記装着器具が前記人体の前記一部に装着された状態で前記人体と容量結合するホット電極と、
電気的接続、磁気的接続及び光学的接続のうちの少なくとも１つの接続方式を用いて、前記基準電極と接続分離可能に接続された接続部と、
前記ホット電極及び前記接続部と電気的に接続された回路基板と、
前記ホット電極、前記接続部及び前記回路基板が設けられるケースと、を有し、
前記ケース及び前記装着器具のうちの一方は、他方と着脱可能に連結する連結部を有する、
人体通信装置。
【請求項２】
前記接続部は、前記基準電極と非接触で接続する、
請求項１に記載の人体通信装置。
【請求項３】
前記接続部は、前記基準電極と容量結合する電極である、
請求項２に記載の人体通信装置。
【請求項４】
前記基準電極は、
基準電極本体と、
前記基準電極本体における前記接続部との対向部分から前記接続部の側に突出した突出部と、を有する、
請求項３に記載の人体通信装置。
【請求項５】
前記装着器具本体は、前記装着器具が前記人体の前記一部に装着された状態で前記人体の前記一部と対向する装着器具側対向面を有し、
前記装着器具本体は、前記装着器具側対向面に、前記装着器具側対向面から突出したリブを有する、
請求項１〜４の何れか１項に記載の人体通信装置。
【請求項６】
前記ケースは、前記装着器具が前記人体の前記一部に装着された状態で前記人体に対向するケース側対向面を有し、
前記連結部は、前記ケースにおいて、前記ケース側対向面と間隔を空けて配置されている、
請求項１〜５の何れか１項に記載の人体通信装置。
【請求項７】
前記ケースは、前記装着器具が前記人体の前記一部に装着された状態で前記人体に対向するケース側対向面を有し、
前記ホット電極、前記接続部及び前記基準電極は、この順に、前記ケース側対向面の側から前記ケース側対向面に直交する方向に並んでいる、
請求項１〜６の何れか１項に記載の人体通信装置。
【請求項８】
前記ケースは、前記連結部と前記装着器具とが連結した状態で、前記装着器具と対向する部分に壁部を有する、
請求項１〜７の何れか１項に記載の人体通信装置。
【請求項９】
前記連結部は、
前記ケースの外面に設けられ、前記装着器具が挿入可能な２つの開口部と、
前記２つの開口部を繋ぐ貫通孔と、を有する、
請求項１〜８の何れか１項に記載の人体通信装置。
【請求項１０】
前記連結部は、
前記ケースの外面に設けられ、前記装着器具が挿入可能な凹溝部を有し、
前記凹溝部の両端部は、前記ケースの前記外面に設けられた開口に繋がっている、
請求項１〜８の何れか１項に記載の人体通信装置。
【請求項１１】
前記連結部は、
前記装着器具本体に設けられた連結台と、
前記連結台に設けられ、前記装置本体が着脱可能に嵌る凹部と、を有する、
請求項１〜８の何れか１項に記載の人体通信装置。
【請求項１２】
前記装着器具は、平面視で互いに直交する長軸及び短軸を有するバンドであり、
前記装着器具は、外力によって湾曲されない状態では前記長軸に沿った直線状態を維持し、外力によって前記装着器具の裏面側に湾曲されると、前記装着器具の裏面側に前記長軸に沿って円弧状に湾曲する、
請求項１〜１１の何れか１項に記載の人体通信装置。
【請求項１３】
前記装着器具本体は、
前記装着器具本体が前記ケースと連結した状態で、前記ケースの両側から引き出された２つの引出部を有し、
前記基準電極は、前記装着器具本体において、前記ケースと連結する部分から、前記２つの引出部のうちの一方の引出部の側のみに配置されている、
請求項１〜１２の何れか１項に記載の人体通信装置。
【請求項１４】
請求項１〜１３の何れか１項に記載の人体通信装置で用いられる装着器具であって、
前記装着器具本体と、
前記基準電極と、を備える、
装着器具。
【請求項１５】
請求項１〜１３の何れか１項に記載の人体通信装置で用いられる装置本体であって、
前記ホット電極と、
前記接続部と、
前記回路基板と、
前記ケースと、を有し、
前記ケースは、前記連結部を有する、
装置本体。
【発明の詳細な説明】
【技術分野】
【０００１】
本開示は、人体通信装置、装着器具及び装置本体に関し、より詳細には、装着器具と装置本体とを備える人体通信装置、人体通信装置で用いられる装着器具、及び人体通信装置で用いられる装置本体に関する。
【背景技術】
【０００２】
特許文献１に記載の人体通信機器（人体通信装置）は、ブロック（装置本体）と、バンド（装着器具）とを備えている。ブロックは、人体通信を行うための制御部であり、通信モジュール（回路基板）を備えている。バンドは、人体の手首に巻き付けられる部分であり、コールド電極（基準電極）と、ホット電極とを備えている。ブロックは、バンドと連結されている。コールド電極及びホット電極は、通信モジュールに配線で接続されている。
【先行技術文献】
【特許文献】
【０００３】
【特許文献１】特開２０１６−１５５５３号公報
【発明の概要】
【発明が解決しようとする課題】
【０００４】
特許文献１に記載の人体通信機器では、バンドに人体通信用の電極（コールド電極及びホット電極）が設けられており、その電極は、ブロック内の通信モジュールと配線部材で接続されている。このため、バンドを交換する際、バンド内の電極とブロック内の通信モジュールとの配線接続をし直すための作業が必要となる。このため、バンドを交換することに手間がかかった。
【０００５】
本開示は、人体の一部に装着される装着器具に人体通信用の電極が設けられていても、装着器具を容易に交換できる人体通信装置、装着器具、及び装置本体を提供することを目的とする。
【課題を解決するための手段】
【０００６】
本開示の一態様に係る人体通信装置は、装着器具と、装置本体と、を備えている。前記装着器具は、人体の一部に装着される。前記装置本体は、前記人体を通信媒体の少なくとも一部に用いて通信を行う。前記装着器具は、装着器具本体と、基準電極と、を有する。前記基準電極は、前記装着器具本体に設けられている。前記装置本体は、ホット電極と、接続部と、回路基板と、ケースとを、有する。前記ホット電極は、前記装着器具が前記人体の前記一部に装着された状態で前記人体と容量結合する。前記接続部は、電気的接続、磁気的接続及び光学的接続のうちの少なくとも１つの接続方式を用いて、前記基準電極と接続分離可能に接続されている。前記回路基板は、前記ホット電極及び前記接続部と電気的に接続されている。前記ケースには、前記ホット電極、前記接続部及び前記回路基板が設けられている。前記ケース及び前記装着器具のうちの一方は、他方と着脱可能に連結する連結部を有する。
【０００７】
本開示の一態様に係る装着器具は、上記の一態様に記載の人体通信装置で用いられる装着器具である。前記装着器具は、前記装着器具本体と、前記基準電極と、を備えている。
【０００８】
この構成によれば、人体通信装置の上記の効果を奏する装着器具を提供できる。
【０００９】
本開示の一態様に係る装置本体は、上記の一態様に記載の人体通信装置で用いられる装置本体である。前記装置本体は、前記ホット電極と、前記接続部と、前記通信回路と、前記ケースと、を有する。
【００１０】
この構成によれば、人体通信装置の上記の効果を奏する装置本体を提供できる。
【発明の効果】
【００１１】
本開示によれば、人体の一部に装着される装着器具に人体通信用の電極が設けられていても、装着器具を容易に交換できる、という効果を有する。
【図面の簡単な説明】
【００１２】
【図１】図１Ａは、実施形態１に係る人体通信装置を表側から見た斜視図である。図１Ｂは、同上の人体通信装置を裏側から見た斜視図である。
【図２】図２Ａは、同上の人体通信装置を示す分解斜視図である。図２Ｂは、固定用部品を示す斜視図である。図２Ｃは、突起部品を示す斜視図である。
【図３】図３は、図１ＡのＡ−Ａ線断面図である。
【図４】図４は、同上の人体通信装置のバンドを裏側から見た斜視図である。
【図５】図５は、同上の人体通信装置のバンドを示す分解斜視図である。
【図６】図６は、同上の人体通信装置を人体の一部に装着した状態を示す側面図である。
【図７】図７は、実施形態１の変形例１に係る人体通信装置を示す断面図である。
【図８】図８は、実施形態１の変形例２に係る人体通信装置が人体の一部に装着された状態を示す側面図である。
【図９】図９Ａは、実施形態２に係る人体通信装置を示す斜視図である。図９Ｂは、同上の人体通信装置を示す分解斜視図である。
【図１０】図１０Ａは、実施形態２の変形例１に係る人体通信装置を示す断面図である。図１０Ｂは、同上の人体通信装置のバンドを裏側から見た斜視図である。
【図１１】図１１Ａは、実施形態３に係る人体通信装置を表側から見た斜視図である。図１１Ｂは、同上の人体通信装置を表側から見た斜視図である。
【図１２】図１２は、同上の人体通信装置を示す分解斜視図である。
【図１３】図１３は、図１１のＢ−Ｂ線断面図である。
【図１４】図１４は、同上の人体通信装置を人体の一部に装着した状態を示す側面図である。
【発明を実施するための形態】
【００１３】
以下、本開示の実施形態について説明する。下記の実施形態は、本開示の様々な実施形態の例に過ぎない。また、下記の実施形態は、本開示の目的を達成できれば、設計等に応じて種々の変更が可能である。
【００１４】
（１）実施形態１
図１Ａ〜図６を参照して、本実施形態に係る人体通信装置１について説明する。
【００１５】
人体通信装置１は、人体通信を用いて他の人体通信装置と通信を行う装置である。人体通信とは、人体（誘電体）を通信媒体の少なくとも一部に用いる通信である。より詳細には、人体通信装置１は、人体と容量結合し、容量結合した人体に、情報信号を乗せた電界を付与することで、他の人体通信装置に情報信号を送信する装置である。また、人体通信装置１は、容量結合した人体を介して電界を検知することで、他の人体通信装置からの情報信号を受信する装置である。
【００１６】
本実施形態では、人体通信装置１は、人体の一部（例えば手首）に装着される装着型の通信装置であり、その装着された人体と容量結合する。この場合、人体通信装置１は、同じ人体に装着された他の人体通信装置と人体通信が可能である。また、人体通信装置１は、装着された人体が、握手などで接触した他の人体に装着された他の人体通信装置と人体通信が可能である。また、人体通信装置１は、装着された人体が手で直接触った他の人体通信装置と人体通信が可能である。
【００１７】
人体通信装置１は、図１Ａ〜図２に示すように、装置本体２と、装着器具３とを備えている。装置本体２は、他の人体通信装置との間で人体通信を行う部分である。装着器具３は、人体の一部（例えば手首）に装着される部分である。装着器具３は、例えば、人体の一部に巻き付けられることで人体の一部に装着されるバンドである。なお、「人体の一部に巻き付けられる」とは、人体の一部に巻かれて人体の一部にくっつくことである。人体の一部は、手首以外に首、脚、胴体などでもよい。以後、バンドをバンド３とも記載する。また、バンド３は、人体の表皮上へ直接接触する状態で装着されているに限られず、衣服などを着た上に装着されてもよい。
【００１８】
装置本体２は、図３に示すように、ホット電極６と、接続部７（電極）と、回路基板８と、ケース９（図２参照）と、固定用部品１０（図２参照）とを備えている。
【００１９】
ホット電極６は、人体通信装置１が装着された人体と接触することで、人体との間で容量結合する部分である。ホット電極６は、例えば平面視四角形（例えばケース９の裏面９ｂよりも一回り小さい形状）の板状であり（図２Ｂ参照）、導電性を有する導電部材（例えば銅又は銅合金など）で形成されている。なお、ホット電極６は、人体と接触する側に防錆処理などを施してもよい。防錆処理としては、例えばホット電極６の表面に錆び難い金属層を形成したり、貼り付けたりしてもよい。
【００２０】
接続部７は、バンド３内の後述の基準電極３２と接続分離可能に電気的接続で接続する部分である。「接続分離可能」とは、接続及び分離が可能であることである。本実施形態では、接続部７は、平行平板電極として構成されている。以後、平行平板電極を平行平板電極７とも記載する。平行平板電極７は、バンド３内の後述の基準電極３２と容量結合する。容量結合は、接続分離可能に電気的接続で接続する接続方式の一例である。また、容量結合は、非接触な接続方式の一例でもある。平行平板電極７は、例えば平面視四角形（例えばケース９の裏面９ｂよりも一回り小さい形状）の板状であり、導電性を有する導電部材（例えば銅又は銅合金など）で形成されている。
【００２１】
回路基板８は、回路部品８ａ及び配線部が設けられた基板である。回路部品８ａは、外部の人体通信装置との間で人体通信を行う通信回路を構成する回路部品である。配線部は、回路部品８ａ同士を電気的に接続する導線部分である。回路基板８は、ホット電極６及び平行平板電極７と電気的に接続されている。ケース９は、ホット電極６、回路基板８及び平行平板電極７などが設けられる部材である。本実施形態では、ケース９は、ホット電極６、回路基板８及び平行平板電極７などを収容する外郭である。
【００２２】
ケース９は、例えば樹脂部材で形成されている。ケース９は、図１Ａ〜図２に示すように、例えば平面視四角形の箱状（例えば偏平な箱状）であり、図３に示すように内部にホット電極６、平行平板電極７及び回路基板８を収容可能な内部空間Ｓ１を有する。ケース９は、上面９ａと、裏面９ｂと、外周面９ｃとを有する。上面９ａ及び裏面９ｂは、ケース９の厚さ方向の両側の主面であり、互いに同形同大の略四角形である。裏面９ｂは、バンド３が人体の一部に巻き付けられた状態で、ケース９における人体に対向する対向面（ケース側対向面）である。以後、対向面を対向面９ｂとも記載する。外周面９ｃは、上面９ａの外周辺と裏面９ｂの外周辺とを接続する筒状の面である。外周面９ｃは、裏面９ｂの外周辺から垂直に立ち上がって上面９ａの外周辺に連結している。なお、ケース９の形状は、本実施形態では、平面視四角形の中空の箱状であるが、このような形状に限定されず、例えば平面視円形の中空の箱状であってもよい。
【００２３】
ケース９は、図３に示すように、開口部９ｄと、連結部９ｅと、固定用孔９ｆとを有する。開口部９ｄは、ケース９に収容されたホット電極６が露出される部分である。連結部９ｅは、バンド３と着脱可能に連結する部分である。固定用孔９ｆは、固定用部品１０が挿入される孔である。本実施形態では、連結部９ｅは、バンド３及びケース９のうちケース９に設けられている。
【００２４】
開口部９ｄは、ケース９の裏面９ｂに設けられており、ケース９の内部の内部空間Ｓ１と繋がっている。開口部９ｄは、ホット電極６よりも一回り小さい形状（例えば四角形状）に形成されている。ホット電極６は、ケース９の内部（すなわち内部空間Ｓ１）における開口部９ｄの裏側に配置されており、開口部９ｄを介してホット電極６の一方の主面を露出している。
【００２５】
連結部９ｅは、バンド３をケース９に貫通させて連結させる貫通型の連結部である。連結部９ｅは、２つの開口部９ｇ，９ｈと、貫通孔９ｉとを有する。２つの開口部９ｇ，９ｈは、バンド３が挿入される開口部である。貫通孔９ｉは、２つの開口部９ｇ，９ｈを繋ぐ孔であって、バンド３が挿入される孔である。
【００２６】
２つの開口部９ｇ，９ｈは、図１Ａ及び図１Ｂに示すように、ケース９の外周面９ｃにおいて、外周面９ｃの周方向に沿って並んで設けられている。より詳細には、外周面９ｃは、４つの側面を有する。４つの側面は、例えは長方形状であり、外周面９ｃの周方向に並んで連結されている。４つの側面のうち、対向する２つの側面に２つの開口部９ｇ，９ｈが設けられている。２つの開口部９ｇ，９ｈは、バンド３の断面形状に嵌り合う形状であり、例えば横長矩形である。バンド３の断面形状とは、バンド３の長手方向に直交する面での断面形状である。
【００２７】
貫通孔９ｉは、図３に示すように、開口部９ｇ，９ｈと同形同大の断面形状を有する孔である。ケース９は、その内部に、２つの開口部９ｇ，９ｈを繋ぐ筒状の壁部９１を有する。以後、筒壁部を筒壁部９１とも記載する。筒壁部９１の内周面によって貫通孔９ｉが形成されている。すなわち、筒壁部９１は、ケース９のうち、貫通孔９ｉにバンド３が挿入された状態（すなわち連結部９ｅとバンド３とが連結した状態）で、バンド３と対向する部分に設けられている。筒壁部９１は、ケース９内の内部空間Ｓ１と貫通孔９ｉ内の空間とを区画することで、ケース９の内部が開口部９ｇ，９ｈから外部に露出することを防止する。したがって、ケース９内に水や異物などが浸入することを抑制できる。
【００２８】
連結部９ｅは、図３に示すように、ケース９の外周面９ｃにおいて、ケース９の裏面９ｂからケース９の厚さ方向に間隔を空けて配置されている。より詳細には、連結部９ｅを構成する２つの開口部９ｇ，９ｈは、外周面９ｃにおいて、ケース９の裏面９ｂ側の辺９ｊから間隔を空けて配置されている。例えば、２つの開口部９ｇ，９ｈは、外周面９ｃの高さの中間に配置されている。外周面９ｃの高さとは、外周面９ｃの上面９ａ側の辺９ｍと裏面９ｂ側の辺９ｋとの間の長さである。このように、２つの開口部９ｇ，９ｈが外周面９ｃの高さの中間に配置されることで、連結部９ｅも外周面９ｃの高さの中間に配置されている。
【００２９】
このように、連結部９ｅが外周面９ｃにおいて裏面９ｂから間隔を空けて配置されることで、人体通信装置１が人体に装着された状態で、バンド３のケース近傍部分３ａを人体から離すことができる。ケース近傍部分３ａは、バンド３におけるケース９の近傍の部分である。この結果、バンド３内の基準電極３２が人体と容量結合することを低減できる。また、２つの開口部９ｇ，９ｈが外周面９ｃの高さの中央に配置されることで、筒壁部９１によって、ケース９の内部空間Ｓ１が上下２つの内部空間（上側内部空間Ｓ２及び下側内部空間Ｓ３）に区画される。
【００３０】
本実施形態では、ケース９の上側内部空間Ｓ２に、回路基板８が収容されており、ケース９の下側内部空間Ｓ３に、ホット電極６及び平行平板電極７が収容されている。ホット電極６は、上述の通り、下側内部空間Ｓ３において、ケース９の開口部９ｄの後側に配置されている。平行平板電極７は、下側内部空間Ｓ３において、筒壁部９１の下側に配置されている。本実施形態では、装置本体２は、基板１３を更に有している。基板１３は、ケース９の下側内部空間Ｓ３に収容されている。基板１３の両側主面のうちの上側（筒壁部９１側）の主面には、平行平板電極７が固定されており、基板の下側（開口部９ｄ側）の主面には、ホット電極６が固定されている。すなわち、ホット電極６及び平行平板電極７は、基板１３と共に一体化されて、下側内部空間Ｓ３に収容されている。なお、回路基板８と、平行平板電極７及びホット電極６との接続は、例えばリード線やフレキシブル基板などの接続部材によって接続されている。この接続部材は、上側内部空間Ｓ２と下側内部空間Ｓ３とを結合するように、筒壁部９１の横に形成された空間を通過する。
【００３１】
固定用孔９ｆは、図３に示すように、ケース９の裏面９ｂにおいて、２つの開口部９ｇ，９ｈのうちの一方の開口部９ｈの側の縁部に設けられている。固定用孔９ｆは、ケース９の裏面９ｂの縁部における長手方向の所定箇所（例えば中央）に設けられている（図１Ｂ参照）。固定用孔９ｆは、ケース９の裏面９ｂから、ケース９の厚さ方向に沿って延び、貫通孔９ｉを横切ってケース９の上側内部空間Ｓ２に繋がっている。
【００３２】
ケース９は、図３に示すように、第１ケース部９３と、第２ケース部９４と、第３ケース部９５とに分割されて構成されている。すなわち、ケース９は、ケース９の厚さ方向に３つの部分９３〜９５に分割されて構成されている。第１ケース部９３は、ケース９の厚さ方向において、ケース９における筒壁部９１よりも上側（上面９ａ側）の部分である。第２ケース部９４は、ケース９の厚さ方向において、ケース９における筒壁部９１よりも下側（裏面９ｂ側）の部分である。第３ケース部９５は、第１ケース部９３と第２ケース部９４との間の部分である。
【００３３】
第１ケース部９３、第２ケース部９４及び第３ケース部９５は、ねじで互いに固定されている。より詳細には、ねじＮ１（図１Ｂ参照）が、第２ケース部９４の裏面の４隅から、第２ケース部９４及び第３ケース部９５を貫通して第１ケース部９３にねじ込まれている。これにより、第１ケース部９３、第２ケース部９４及び第３ケース部９５は、互いに固定されている。
【００３４】
固定用部品１０は、ケース９の裏面９ｂに形成された固定用孔９ｆに着脱可能に挿入されて、バンド３がケース９の連結部９ｅから外れることを防止する部品である。換言すれば、固定用部品１０は、バンド３をケース９の連結部９ｅに固定する部品である。
【００３５】
固定用部品１０は、図２Ｂに示すように、ピン部１０ａと、頭部１０ｂとを有する。ピン部１０ａは、棒状である。ピン部１０ａの先端部側には、溝部１０ｃが設けられている。溝部１０ｃは、ケース９の固定用孔９ｆの内部に設けられた引掛部に引っ掛かる部分である。溝部１０ｃは、ピン部１０ａの先端部側において、ピン部１０ａの周方向全体にわたって設けられている。頭部１０ｂは、ピン部１０ａの基端部に設けられており、ピン部１０ａの外周側に張り出している。
【００３６】
図１Ｂに示すように、固定用部品１０の頭部１０ｂは、ケース９の裏面９ｂでホット電極６の近傍で露出している。したがって、装置本体２を人体へ装着した状態において、固定用部品１０の頭部１０ｂは、人体表面と近い位置、あるいは人体と接触するような位置に配置されている。そこで、固定用部品１０は、樹脂によって形成することが好ましい。固定用部品１０としては、例えばエラストマなどを用いる。これにより、基準電極３２と人体との間の容量結合を低減できる。したがって、ホット電極６から人体へと出力された信号が、固定用部品１０を介して基準電極３２へと流れることを抑制できる。なお、固定用部品１０は樹脂によって形成される構成に限られず、金属材料によって構成してもよい。この場合、装置本体２と、バンド３との結合強度が向上する。
【００３７】
バンド３は、図２Ａ及び図３に示すように、バンド本体３１（装着器具本体）と、基準電極３２と、突起部品３３と、を備えている。バンド本体３１は、バンド３の本体である。基準電極３２は、基準電位を得るための電極であり、コールド電極とも呼ばれる。基準電極３２は、バンド本体３１の内部に埋め込まれている。
【００３８】
バンド本体３１は、例えばゴム弾性を有する樹脂部材（例えばエストラマー）によって帯状に形成されている。バンド本体３１は、その長手方向に沿って、バンド本体３１の両主面側に湾曲可能である。バンド本体３１は、図２Ａ及び図３に示すように、複数の小孔３１ａと、環状部３１ｂと、段付き孔３１ｃと、位置決め部３１ｄと、貫通孔３１ｅと、リブ３１ｆ（図１Ｂ参照）と、段状部３１ｚ，３１ｖ（図１Ｂ参照）とを有する。
【００３９】
複数の小孔３１ａは、突起部品３３が挿入される孔であり、バンド本体３１の厚さ方向に貫通している。複数の小孔３１ａは、バンド本体３１の長手方向における中央部３１ｓと基端部３１Ｔとの間に配置されており、バンド本体３１の長手方向に並んでいる。中央部３１ｓは、装置本体２と連結する部分である。環状部３１ｂは、バンド本体３１が先端部３１Ｕ側から挿入される部分である。環状部３１ｂは、バンド本体３１の基端部３１Ｔに設けられている。
【００４０】
段付き孔３１ｃは、突起部品３３が連結する孔である。段付き孔３１ｃは、バンド本体３１の先端部３１Ｕ付近に設けられている。段付き孔３１ｃは、バンド本体３１の厚さ方向に貫通している。段付き孔３１ｃは、大径部と小径部とを有する。大径部の直径は、小径部の直径よりも大きい。大径部は、段付き孔３１ｃにおいて、バンド本体３１の表面３１ｋ側の部分であり、バンド本体３１の表面３１ｋから凹んで形成された凹部である。小径部は、段付き孔３１ｃにおいて、バンド本体３１の裏面３１ｒ側の部分に形成された貫通孔であり、大径部の底からバンド本体３１の裏面３１ｒまで貫通している。
【００４１】
位置決め部３１ｄは、バンド本体３１におけるケース９との連結位置を位置決めする部分である。位置決め部３１ｄは、バンド３における長手方向の中央部３１ｓの付近において、バンド３の幅方向の両端部に設けられており、バンド３の幅方向外側に突出している。貫通孔３１ｅは、固定用部品１０が通る孔であり、バンド本体３１の厚さ方向に貫通している。貫通孔３１ｅは、バンド本体３１の中央部３１ｓ内の所定位置に設けられている。
【００４２】
突起部品３３は、バンド本体３１の段付き孔３１ｃに着脱可能に取り付けられることで、バンド本体３１の裏面３１ｒから突出する突起部３３ａ（図１Ｂ参照）を構成する。バンド本体３１の先端部３１Ｕが環状部３１ｂに通された状態で、突起部３３ａが複数の小孔３１ａのうちの所望の小孔３１ａに引っ掛けられることで、バンド本体３１が環状になって人体の一部に巻き付くことができる。
【００４３】
突起部品３３は、図２Ｃに示すように、軸部３３ｂと頭部３３ｃとフランジ部３３ｄとを有する。頭部３３ｃは、軸部３３ｂの基端部に設けられ、軸部３３ｂよりも外周側に張り出している。フランジ部３３ｄは、軸部３３ｂの先端部に設けられ、軸部３３ｂよりも外周側に張り出している。突起部品３３は、段付き孔３１ｃに取り付けられた状態で、頭部３３ｃが段付き孔３１ｃの大径部分に嵌り、軸部３３ｂの先端部が段付き孔３１ｃの小径部分の貫通孔を貫通して、バンド本体３１の裏面３１ｒ側に突出する。その突出した部分が突起部３３ａを構成する。
【００４４】
基準電極３２は、図５に示すように、導電性を有する導電部材（例えば銅又は銅合金）で可とう性を有するように薄板状（例えば平坦な板状）に形成されている。基準電極３２は、例えば銅箔などの金属箔を用いてもよい。基準電極３２は、その長手方向に沿って、その両主面側に湾曲可能である。基準電極３２の平面視形状は、バンド本体３１の平面視形状よりも一周り小さい帯状である。基準電極３２は、バンド本体３１の内部において、バンド本体３１の長手方向の先端部３１Ｕ付近から基端部３１Ｔ付近にわたって配置されている。
【００４５】
基準電極３２は、切欠部３２ａと、貫通孔３２ｂとを有する。切欠部３２ａは、基準電極３２において、複数の小孔３１ａと重ならないように切り欠かれた部分である。切欠部３２ａは、例えば平面視帯状であり、基準電極３２の一端部３２Ｔから中央部３２ｓに向かって、基準電極３２の長手方向に沿って形成されている。中央部３２ｓは、バンド本体３１の厚さ方向において、バンド本体３１の中央部３１ｓと重なる部分である。なお、基準電極３２は、切欠部３２ａに代えて複数の小孔３１ａのそれぞれと重ならない位置に、小孔３１ａの直径よりも大きな直径の貫通孔を設けた構成としてもよい。
【００４６】
貫通孔３２ｂは、固定用部品１０が通る孔であり、基準電極３２の厚さ方向に貫通している。貫通孔３２ｂは、基準電極３２の中央部３２ｓ内の所定位置に設けられている。この貫通孔３２ｂは、バンド本体３１の貫通孔３１ｅと繋がっている。なお、貫通孔３２ｂの直径は、貫通孔３１ｅ（図４参照）の直径よりも大きい。さらに、貫通孔３２ｂの直径は、固定用部品１０のピン部１０ａ（図２Ｂ参照）の直径よりも大きい。この構成により、基準電極３２と人体との間の容量結合を低減できる。すなわち固定用部品１０が金属製の材料によって形成されている場合でも、ホット電極６から人体へと出力された信号が、固定用部品１０を介して基準電極３２へと流れることを抑制できる。
【００４７】
本実施形態では、図５に示すように、バンド本体３１は、第１バンド本体部３１ｐと、第２バンド本体部３１ｑとに分割されて構成されている。すなわち、バンド本体３１は、バンド本体３１の厚さ方向に２つの部分３１ｐ，３１ｑに分割構成されている。第１バンド本体部３１ｐは、バンド本体３１の厚さ方向の表面３１ｋ側の部分である。第２バンド本体部３１ｑは、バンド本体３１の厚さ方向の裏面３１ｒ側の部分である。基準電極３２は、第１バンド本体部３１ｐと第２バンド本体部３１ｑとの間に挟まれて配置されている。
【００４８】
なお、小孔３１ａも、バンド本体３１の厚さ方向に２つの部分（第１小孔部６１ａ及び第２小孔部６１ｂ）に分割されて構成されている。環状部３１ｂも、バンド本体３１の厚さ方向に２つの部分（第１環状部６２ａ及び第２環状部６２ｂ）に分割されて構成されている。段付き孔３１ｃも、バンド本体３１の厚さ方向に２つの部分（第１段付き孔６３ａ及び第２段付き孔６３ｂ）に分割されて構成されている。位置決め部３１ｄも、バンド本体３１の厚さ方向に２つの部分（第１位置決め部６４ａ及び第２位置決め部６４ｂ）に分割されて構成されている。貫通孔３１ｅも、バンド本体３１の厚さ方向に２つの部分（第１貫通孔６５ａ及び第２貫通孔６５ｂ）に分割されて構成されている。
【００４９】
リブ３１ｆは、図４に示すように、バンド３が人体に装着された状態で、バンド本体３１内の基準電極３２と人体との間隔を確保する部分である。このリブ３１ｆによって、基準電極３２と人体との間の容量結合を低減できる。リブ３１ｆは、バンド本体３１の裏面３１ｒから突出している（図１Ｂ参照）。裏面３１ｒは、バンド３が人体の一部に巻き付けられた状態で人体の一部と対向する対向面（バンド側対向面（器具本体側対向面））である。リブ３１ｆは、バンド本体３１の裏面３１ｒにおける幅方向の両側の縁部に沿って設けられている。リブ３１ｆは、バンド本体３１の裏面３１ｒの長手方向において、中央部３１ｓと先端部３１Ｕの付近３１ｗとの間の範囲Ｈ１、及び中央部３１ｓと環状部３１ｂとの間の範囲Ｈ２に設けられている。中央部３１ｓは、ケース９と連結する部分である。
【００５０】
段状部３１ｚ，３１ｖは、バンド本体３１の裏面３１ｒから段状に突出した部分である。段状部３１ｚは、バンド本体３１の裏面３１ｒのうち、中央部３１ｓに重なる部分に設けられている。段状部３１ｖは、バンド本体３１の裏面３１ｒのうち、先端部３１Ｕ付近３１ｗに重なる部分に設けられている。段状部３１ｚ，３１ｖは、リブ３１ｆと同じ高さに形成されている。段状部３１ｖによって、バンド本体３１が先端部３１Ｕ側から環状部３１ｂ内に通されたときに、リブ３１ｆの先端部３１Ｕ側の端部が、環状部３１ｂに引っ掛かることを抑制できる。また、段状部３１ｚによって、バンド３がケース９に連結された状態で、バンド本体３１の中央部３１ｓとケース９の開口部９ｇ，９ｈとの隙間を埋めることができる。また、段状部３１ｚによって、バンド３をケース９から引き抜く際又はバンド３をケース９へ装着する際などのようにバンド３を交換するときに、リブ３１ｆの中央部３１ｓ側の端部がケース９の開口部９ｇに引っ掛かることを抑制できる。
【００５１】
次に、図１Ａ〜図３を参照して、装置本体２とバンド３との連結手順（連結方法）を説明する。
【００５２】
図２Ａに示すように、まずバンド３の段付き孔３１ｃから突起部品３３が外される。そして、バンド３の先端部３１Ｕがケース９の一方の開口部９ｈから貫通孔９ｉ（図３参照）に挿入される。そして、図１Ａに示すように、バンド３の中央部３１ｓが貫通孔９ｉ内に配置するまで、バンド３が貫通孔９ｉに挿入される。バンド３の中央部３１ｓが貫通孔９ｉ内に配置した状態では、バンド３の位置決め部３１ｄがケース９の開口部９ｈの周縁に接触する。これにより、バンド３とケース９との相対位置が位置決めされる。この位置決め状態では、バンド３の貫通孔３１ｅは、ケース９の固定用孔９ｆと繋がっている（図３参照）。この状態で、図３に示すように、固定用部品１０がケース９の固定用孔９ｆに差し込まれる。これにより、固定用部品１０のピン部１０ａがバンド３の貫通孔３１ｅを貫通し、ピン部１０ａの先端部の溝部１０ｃがケース９の固定用孔９ｆの奥部に引っ掛かる。これにより、固定用部品１０がケース９に着脱可能に取り付けられ、ケース９からのバンド３の抜けが抑制される。すなわち、バンド３がケース９に固定される。そして、バンド３の段付き孔３１ｃに突起部品３３が着脱可能に取り付けられる（図１Ａ及び図１Ｂ参照）。
【００５３】
このようにバンド３が装置本体２に連結された状態では、図３に示すように、ケース９内の平行平板電極７とバンド３内の基準電極３２とは、互いに対向して、互いに容量結合する。容量結合の観点から、平行平板電極７と基準電極３２との間隔は小さい方がよい。また、この状態では、ホット電極６、平行平板電極７及び基準電極３２は、この順に、ケース９の裏面９ｂ（対向面）側からケース９の厚さ方向（対向面に直交する方向）に沿って並んでいる。また、バンド本体３１は、ケース９の両側から引き出された２つの引出部３１Ｌ，３１Ｒを有する。
【００５４】
なお、バンド３を装置本体２から取り外す場合は、突起部品３３をバンド３の段付き孔３１ｃから外し、かつ固定用部品１０をケース９の固定用孔９ｆから外す。そして、バンド３をバンド３の基端部３１Ｔ側から引っ張り、バンド３をケース９の貫通孔９ｉから引き抜く。この結果、バンド３が装置本体２から取り外される。
【００５５】
次に、バンド３を人体の一部に巻き付ける手順を説明する。
【００５６】
図６に示すように、まず、バンド本体３１の先端部３１Ｕを、バンド本体３１の裏側（裏面３１ｒ側）から環状部３１ｂに通す。そして、バンド本体３１の突起部３３ａを、バンド本体３１の表側（表面３１ｋ側）からバンド本体３１の複数の小孔３１ａのうちの所望の小孔３１ａに引っ掛ける。これにより、バンド３を人体の一部（例えば腕）Ｂ１に巻き付けることができる。この状態では、ケース９の裏面９ｂの開口部９ｄから露出したホット電極６が、人体の一部Ｂ１と接触して人体の一部Ｂ１と容量結合する。また、連結部９ｅは、ケース９の裏面９ｂからケース９の厚さ方向に間隔を空けてケース９に設けられている。このため、バンド３のケース近傍部分３ａと人体の一部Ｂ１との間に間隔を確保できる。この結果、バンド３内の基準電極３２（図３参照）と人体の一部Ｂ１との容量結合を低減できる。
【００５７】
以上、本実施形態に係る人体通信装置１によれば、ケース９は、バンド３と着脱可能に連結する連結部９ｅを備えるため、ケース９とバンド３とを着脱可能に機械的に連結できる。また、装置本体２は、基準電極３２と接続分離可能に電気的接続で接続する接続部（例えば平行平板電極）７を備えるため、回路基板８と基準電極３２とを接続分離可能に電気的接続で接続できる。これにより、装置本体２とバンド３とを機械的に着脱可能に接続できると共に接続分離可能に電気的接続で接続できる。この結果、人体通信装置１がバンド３に基準電極３２を備えていても、バンド３を容易に交換できる。
【００５８】
また、接続部７は、基準電極３２と容量結合で接続するため、接続部７は、非接触な接続で基準電極３２と接続できる。このため、基準電極３２をバンド本体３１の内部に密封できる。これにより、基準電極３２の錆び発生及び製造コストの抑制を図ることができる。また、連結部９ｅの構造が簡易な構造になり、バンド３の交換が容易になる。
【００５９】
フランジ部３３ｄの直径は、小孔３１ａの直径よりも大きいので、フランジ部３３ｄを小孔３１ａへ挿入する際、フランジ部３３ｄが小孔３１ａを押し広げて挿入される。そして人体通信装置１は繰り返して人体へ着脱するので、小孔３１ａには突起部３３ａが繰り返し挿入される。したがって、小孔３１ａは、変形又は破損を生じ易い。このような際でも、使用者は、特別な器具などを用いなくても簡単にバンド３を交換できる。また、バンド３の構成は簡単であり、安価に製造できるので、使用者は多数の色や柄のバンドを気軽に購入できる。したがって、使用者は、例えばその日の衣服、あるいはその時の気分などに応じて、バンド３を交換することもできる。さらに、使用者がアイドルグループのファンであるような場合、そのアイドルグループのうちのあるメンバーに割り当てられた色合い（パーソナルカラーとも言う）のベルトへと交換することもできる。
【００６０】
また、接続部７は、基準電極３２と容量結合する平行平板電極であるため、接続部７と基準電極３２との非接触な接続を簡易な構造で実現できる。基準電極３２と平行平板電極７とは、対向して配置されるので、対向する面積を大きくできる。したがって、基準電極３２と平行平板電極７との間の容量結合の結合力を向上できる。
【００６１】
また、本実施形態に係るバンド３によれば、人体通信装置１で用いられるバンドであって、バンド本体３１と、基準電極３２とを備えているため、上記の効果を奏する人体通信装置１に寄与するバンドを提供できる。
【００６２】
また、本実施形態に係る装置本体２は、人体通信装置１で用いられる装置本体であって、ホット電極６と、接続部７と、回路基板８と、ケース９とを有するため、上記の効果を奏する人体通信装置１に寄与する装置本体を提供できる。
【００６３】
（実施形態１の変形例）
以下、実施形態１の変形例を説明する。以下の変形例は、組み合わせて実施されてもよい。
【００６４】
（変形例１）
実施形態１では、基準電極３２は、平坦な板状であったが、基準電極３２の形状は、平坦な板状に限定されない。図７に示すように、基準電極３２は、平行平板電極７の側に段状に突出した突出部３２ｄを有してもよい。
【００６５】
この場合、基準電極３２は、基準電極本体３２ｃと、突出部３２ｄとを有する。基準電極本体３２ｃは、基準電極３２の本体であり、実施形態１の基準電極３２と同様に形成されている。突出部３２ｄは、基準電極本体３２ｃの裏面３２ｗのうち、平行平板電極７との対向部分に、平行平板電極７側に段状に突出して設けられている。基準電極本体３２ｃ及び突出部３２ｄは、同じ導電部材で形成され、互いに一体に形成されている。なお、基準電極本体３２ｃ及び突出部３２ｄは、別々に構成されて電気的に連結されてもよい。なお、バンド本体３１の中央部３１ｓの段状部３１ｚの表面（平行平板電極７側の面）３１ｚ１は、実施形態１の場合と同様に平坦である。この場合、バンド本体３１の中央部３１ｓの段状部３１ｚの内面（突出部３２ｄ側の面）３１ｉには、突出部３２ｄに対応する位置に、平行平板電極７側へ向って凹んだ凹部３１ｇが形成されている。
【００６６】
この変形例によれば、基準電極３２の突出部３２ｄによって、基準電極３２と平行平板電極７との間隔をより小さくできる。この結果、基準電極３２と平行平板電極７との容量結合の結合力を向上できる。また、突出部３２ｄが設けられても、バンド本体３１の中央部３１ｓの段状部３１ｚの表面３１ｚ１は、平坦である。このため、突出部３２ｄが設けられても、バンド本体３１をケース９の貫通孔９ｉに円滑に挿入することができる。
【００６７】
（変形例２）
実施形態１では、基準電極３２は、バンド本体３１の先端部３１Ｕ側から基端部３１Ｔ側までの範囲にわたって配置された。すなわち、バンド本体３１は、ケース９の両側から引き出された２つの引出部３１Ｌ，３１Ｒを有し、基準電極３２は、バンド本体３１において、ケース９と連結する中央部３１ｓから２つの引出部３１Ｌ，３１Ｒの側に配置されている（図３参照）。ただし、基準電極３２が配置される範囲は、このように限定されない。図８に示すように、基準電極３２は、バンド本体３１において、ケース９と連結する中央部３１ｓから、２つの引出部３１Ｌ，３１Ｒのうちの一方の引出部（例えば引出部３１Ｌ）の側のみに配置されてもよい。
【００６８】
この変形例によれば、装置本体２の両側に引き出された２つの引出部３１Ｌ，３１Ｒのうち、一方の引出部（例えば引出部３１Ｌ）のみに基準電極３２を設けることができる。この場合、２つの引出部３１Ｌ，３１Ｒを人体の一部Ｂ１に巻き付けるとき、他方の引出部（例えば引出部３１Ｒ）を一方の引出部（例えば引出部３１Ｌ）と人体の一部Ｂ１との間に配置できる。これにより、他方の引出部（例えば引出部３１Ｒ）を、基準電極３２と人体の一部Ｂ１との間隔をより大きく確保するためのスペーサとして利用できる。これにより、基準電極３２と人体との容量結合を低減できる。
【００６９】
（変形例３）
実施形態１では、接続部７は、基準電極３２との非接触な接続の一例として、基準電極３２と容量結合する電極（平行平板電極）として構成されたが、接続部７と基準電極３２との非接触な接続方法は、容量結合に限定されない。例えば、接続部７と基準電極３２と非接触な接続方法は、磁気結合（すなわち磁気的接続）でもよい。この場合、接続部７は、コイルとして構成される。他方、基準電極３２は、接続部７の上記のコイルと磁気結合可能なコイルを備えている。
【００７０】
また、接続部７と基準電極３２との非接触な接続方法は、光結合（すなわち光学的接続）でもよい。この場合は、接続部７は、発光素子及び受光素子のうちの一方を備えている。他方、基準電極３２は、発光素子及び受光素子のうちの他方を備えている。なお、発光素子は光を発する素子であり、受光素子は、発光素子が発した光を受光すると通電する素子である。
【００７１】
なお、本実施形態では、接続部７及び基準電極３２が互いに非接触で接続する場合で説明したが、互いに接触することで、互いに電気的に接続してもよい。この場合は、基準電極３２の一部（接続部７と電気的に接続する部分）は、バンド本体３１から露出される。また、接続部７もケース９から露出される。
【００７２】
（変形例４）
実施形態１では、装着器具３が、帯状のバンドであって、装着時に環状に繋がれて人体の一部に装着されるバンドである場合を例示したが、装着器具３は、このようなバンドに限定されない。例えば、装着器具３は、例えば樹脂などで、人体の一部の周りに装着可能な円環状又は円弧状（換言すれば側面視Ｃ字状）の形状に形成されており、その形状の状態で人体の一部に装着される形態であってもよい。
【００７３】
（実施形態２）
実施形態１では、連結部９ｅは、バンド３をバンド３の先端部３１Ｕ側からケース９に貫通させる貫通型の連結部であったが、本実施形態では、連結部９ｅは、バンド３をバンド３の側辺からケース９に挿入させる横入れ型の連結部である。
【００７４】
図９Ａ及び図９Ｂに示すように、本実施形態の連結部９ｅは、バンド３をバンド３の側辺３１ｈから挿入可能な凹溝部２０を有する。凹溝部２０は、ケース９の外面（例えば外周面９ｃ）に設けられている。より詳細には、凹溝部２０は、外周面９ｃの４つの側面９ｓ,９ｔ，９ｕ，９ｖのうち、一の側面９ｓから反対側の側面９ｕに向かって、ケース９の裏面９ｂに平行に、凹状に窪んでいる。凹溝部２０の深さＦ１は、バンド３の横幅Ｆ２と同じ又は横幅Ｆ２よりも大きい深さである。凹溝部２０は、外周面９ｃの側面９ｓに開口２０ａを有する。凹溝部２０の両端部は、外周面９ｃにおける対向する２つの側面９ｔ、９ｖで開放している。換言すれば、外周面９ｃの２つの側面９ｔ，９ｖには開口２０ｅ，２０ｆが設けられており、凹溝部２０の両端部は、２つの側面９ｔ，９ｖに設けられた開口２０ｅ，２０ｆに繋がっている。凹溝部２０は、側面９ｔから側面９ｖに向かって真っ直ぐに伸びている。なお、開口２０ａ，２０ｅは互いに連結しており、開口２０ａ，２０ｆは互いに連結しており、３つの開口２０ａ，２０ｅ，２０ｆは、３つの側面９ｓ，９ｕ，９ｖに跨った１つの開口を構成している。
【００７５】
ケース９は、その内部にＵ状壁部９２を有する（図９Ｂ参照）。Ｕ状壁部９２は、側面視で、厚さ方向にＵ字状に曲がった壁部である。Ｕ状壁部９２は、その周端部が凹溝部２０の開口２０ａの周端部に連結するように、ケース９内に設けられている。Ｕ状壁部９２の内面によって凹溝部２０の内面が構成されている。Ｕ状壁部９２は、ケース９のうち、凹溝部２０にバンド３が挿入された状態（すなわち連結部９ｅとバンド３とが連結した状態）で、バンド３と対向する部分に設けられている。Ｕ状壁部９２は、ケース９内の空間と凹溝部２０内の空間とを区画することで、ケース９の内部が凹溝部２０から外部に露出することを防止する。
【００７６】
本実施形態では、ケース９の裏面９ｂには、２つの固定用穴が設けられている。２つの固定用穴は、裏面９ｂのうち、相対する２つの側面９ｔ，９ｖの側の縁部に設けられている。また、バンド３にも、固定用部品１０が挿入される２つの貫通孔３１ｅが設けられている。なお、本実施形態のバンド３は、幅方向の両側の側辺３１ｈのうち一方（凹溝部２０に挿入される側）の側辺３１ｈだけに位置決め部３１ｄを有する。
【００７７】
次に、図９Ａ及び９Ｂを参照して、装置本体２とバンド３との連結手順（連結方法）を説明する。
【００７８】
バンド３の一方の側辺３１ｈを、ケース９の側面９ｓ側から凹溝部２０に挿入する。その際、バンド３は、凹溝部２０の奥面に接触するまで挿入される。この状態では、バンド３の位置決め部３１ｄがケース９の側面９ｕに接触する（図９Ａ参照）。このように、バンド３が凹溝部２０の奥面に接触し、かつバンド３の位置決め部３１ｄがケース９の側面９ｔに接触することで、装置本体２とバンド３との相対的な位置が位置決めされる。この状態では、バンド３の中央部３１ｓが凹溝部２０に挟まれている。この状態で、固定用部品１０がケース９の裏面９ｂ側からケース９の裏面９ｂの固定用穴に挿入される。これにより、バンド３が凹溝部２０から抜けることが防止される。すなわち、バンド３が凹溝部２０に固定される。
【００７９】
この変形例によれば、バンド３をバンド３の側辺３１ｈから凹溝部２０に挿入することで、簡易な構造で、バンド３と凹溝部２０（連結部９ｅ）とを互いに連結できる。
【００８０】
（実施形態２の変形例）
（変形例１）
実施形態２において、図１０Ａ及び図１０Ｂに示すように、バンド本体３１は、凹部２５を更に有し、ケース９は、突部２６を更に有してもよい。凹部２５は、バンド本体３１の裏面３１ｒ側に窪むように設けられており、凹部２５の底面は平面である。突部２６は、凹部２５に嵌る断面ハット形状の突部である。突部２６は、凹溝部２０の下側内側面（すなわち接続部７側の内側面）２０ｄに突出するように設けられており、突部２６の先端面は平面である。そして、突部２６の裏側に平行平板電極７が配置されてもよい。これにより、平行平板電極７をバンド本体３１内の基準電極３２により接近させることができる。この結果、平行平板電極７と基準電極３２との容量結合の結合力を向上できる。
【００８１】
より詳細には、図１０Ａ及び図１０Ｂに示すように、凹部２５は、バンド３がケース９の凹溝部２０に連結された状態で、突部２６に対向する部分（例えばバンド本体３１の中央部３１ｓの表面）に設けられている。
【００８２】
突部２６は、図１０Ａに示すように、凹溝部２０の下側内側面２０ｄのうち、平行平板電極７と対向する対向部分２０ｂに設けられている。突部２６は、凹溝部２０の下側内側面２０ｄから上側内側面２０ｃに向かって突出している。突部２６の平面視形状は、平行平板電極７の平面視形状よりも一周り大きい形状である。断面ハット形状の突部２６の裏側には、凹状に窪んだ凹部２７が設けられている。凹部２７の底面は平面である。凹部２７内に、平行平板電極７が収容されて配置されている。
【００８３】
この変形例では、バンド３がケース９の凹溝部２０に連結された状態では、ケース９の突部２６がバンド３の凹部２５に嵌る。平行平板電極７は、突部２６の裏側の凹部内２７に配置されているため、突部２６が凹部２７に嵌ることで、基準電極３２が平行平板電極７により接近して配置される。これにより、上述のように、基準電極３２と平行平板電極７との間の容量結合の結合力が向上できる。
【００８４】
なお、この変形例では、３つの開口２０ａ，２０ｅ，２０ｆが１つに繋がっているため、凹溝部２０は、下側内側面２０ｄ及び上側内側面２０ｃの間隔を弾性的に広げることが可能である。このため、凹溝部２０の下側内側面２０ｄに突部２６が設けられ、バンド３の裏面３１ｒ側に凹部２５が設けられていても、バンド３の側辺３１ｈを凹溝部２０に円滑に挿入可能である。
【００８５】
（実施形態３）
実施形態１では、連結部９ｅは、バンド３及びケース９のうちケース９に設けられたが、図１１Ａ〜図１３に示すように、本実施形態では、連結部９ｅは、バンド３及びケース９のうちバンド３に設けられている。
【００８６】
より詳細には、図１３に示すように、本実施形態の装置本体２は、実施形態１の装置本体２において、連結部９ｅ（すなわち２つの開口部９ｇ，９ｈ、貫通孔９ｉ、筒壁部９１及び固定用孔９ｆ）を省略した構成である。また、本実施形態の装置本体２では、実施形態１の装置本体２において、基板１３が省略された構成であるが、実施形態１と同様に基板１３を備えた構成でもよい。また、本実施形態の装置本体２では、平行平板電極７は、基板１３の上面ではなく、回路基板８の上面に設けられている。また、本実施形態の装置本体２では、ケース９の裏面９ｂのうち、周縁部９ｒは中央部９ｗよりも段差状に上面９ａ側に下がっている（図１２参照）。中央部９ｗは、周縁部９ｒの内側の領域であり、ケース９の開口部９ｄを含み、開口部９ｄよりも一回り広い範囲である。
【００８７】
本実施形態のバンド３は、図１１Ａ〜図１２に示すように、実施形態１のバンド３において、バンド３が所謂パッチンバンドに変更されると共に、連結部９ｅを更に備えた構成である。
【００８８】
パッチンバンドとは、外力によって湾曲されない状態ではバンドが長軸に沿った直線状態を維持し、外力によってバンドの裏面側に湾曲されると、バンドが自律的にバンドの裏面側に長軸に沿って円弧状に湾曲するバンドである。この性質を利用して、バンドを簡単に人体の一部に巻き付けることができる。
【００８９】
更に詳細には、本実施形態のバンド３は、図１１及び図１２に示すように、バンド本体３１と、基準電極３２と、パッチンバンド用の金属板４２と、連結部９ｅとを備えている。
【００９０】
本実施形態のバンド本体３１は、例えば樹脂部材（例えばエストラマー）によって帯状の薄板状に形成されている。本実施形態の基準電極３２は、導電性を有する導電部材で形成されており、バンド本体３１よりも一周り小さい帯状の薄板状である。基準電極３２は、バンド本体３１の内部に、バンド本体３１の長手方向に沿って、埋め込まれている。
【００９１】
金属板４２は、ばね性を有する金属で形成されており、バンド本体３１よりも一周り小さい帯状の薄板状である。本実施形態では、基準電極３２は、金属板４２によって構成されている。すなわち、基準電極３２は、金属板４２によって兼用されている。なお、金属板４２及び基準電極３２は、互いに別々に構成されてもよい。この場合は、金属板４２及び基準電極３２は、バンド３の厚さ方向に重ねて配置される。その際、基準電極３２は、金属板４２よりもバンド３の裏面側（連結部９ｅ）に配置される。
【００９２】
金属板４２は、平面視で互いに直交する長軸Ｇ１と短軸Ｇ２とを有する（図１１Ａ参照）。長軸Ｇ１は、金属板４２の長手方向に沿った軸である。短軸Ｇ２は、平面視で金属板４２の短手方向に沿った軸である。金属板４２は、外力によって湾曲されない状態では長軸Ｇ１に沿って直線状態を維持する。そして、金属板４２は、外力によって金属板４２の裏面側（連結部９ｅ側）に長軸Ｇ１に沿って湾曲させると、金属板４２の弾性復帰力で金属板４２の裏面側に長軸Ｇ１に沿って円弧状に湾曲する。この性質により、バンド３がパッチンバンドとして機能する。
【００９３】
より詳細には、金属板４２は、長軸Ｇ１に沿って金属板４２の裏側（連結部９ｅ側）に円弧状に湾曲する形状を記憶している。また、金属板４２は、短軸Ｇ２に沿って金属板４２の表側（連結部９ｅとは反対側）に円弧状に湾曲する形状を記憶している。外力によって金属板４２が長軸Ｇ１に沿って直線状に弾性変形された状態（長軸直線状態）では、金属板４２が短軸Ｇ２に沿って金属板４２の表側に湾曲する。これにより、上記の長軸Ｇ１直線状態が維持される。また、外力によって金属板４２が短軸Ｇ２に沿って直線状に弾性変形されると、金属板４２が弾性復帰力によって（すなわち自律的に）長軸Ｇ１に沿って金属板４２の裏側に円弧状に湾曲する。この弾性復帰力による円弧状の湾曲により、バンド３（したがってバンド３）を人体の一部に巻き付かせることができる。
【００９４】
連結部９ｅは、図１２に示すように、連結台５０と、凹部５１と、鍔部５２と、を有する。
【００９５】
連結台５０は、装置本体２が着脱可能に連結される台部であり、バンド本体３１の所定箇所（例えば裏面３１ｒ）に設けられている。裏面３１ｒは、バンド３が人体に装着された状態で、バンド本体３１の両側の主面のうち人体と対向する面である。連結台５０は、例えば弾性を有する樹脂部材（例えばエストラマー）で形成されており、例えば直方体形（例えば、平面視四角形で偏平な直方体形）である。凹部５１は、装置本体２が着脱可能に嵌る部分であり、連結台５０の所定箇所（例えば下面５０ｂ）に設けられている。連結台５０の下面５０ｂは、連結台５０において、バンド３側とは反対側の面である。鍔部５２は、凹部５１に収容された装置本体２の裏面（すなわちケース９の裏面）９ｂの周縁に引っ掛かる部分である。鍔部５２がケース９の裏面９ｂの周縁に引っ掛かることで、装置本体２が凹部５１内から不意に外れることが抑制される。鍔部５２は、凹部５１の開口部５１ａの内周縁から開口部５１ａの内側に突出し、かつ開口部５１ａの内周縁の全周にわたって設けられている。なお、装置本体２は、上面９ａを凹部５１の底側に向け、裏面９ｂを凹部５１の開口部５１ａ側に向けて、凹部５１内に収容される。
【００９６】
本実施形態では、図１１Ｂ及び図１３に示すように、装置本体２が連結台５０の凹部５１に収容された状態では、装置本体２の裏面９ｂが凹部５１の開口部５１ａに対向しており、ホット電極６が開口部５１ａから露出している。また、装置本体２の平行平板電極７とバンド３の基準電極３２とが互いに対向して容量結合している（図１３参照）。また、連結部９ｅの鍔部５２がケース９の裏面９ｂの周縁部９ｒに引っ掛かることで、装置本体２が凹部５１から不意に抜けることが抑制されている。また、連結台５０の下面５０ａと、ケース９の裏面９ｂのうちの中央部９ｗの部分とが互いに平坦になっており、ホット電極６が人体に接触し易くなっている（図１３参照）。
【００９７】
また、図１４に示すように、本実施形態の人体通信装置１が人体の一部（例えば腕）Ｂ１に装着された状態（すなわちバンド３が人体の一部Ｂ１に巻き付けられた状態）では、バンド３と人体の一部Ｂ１との間に装置本体２が配置される。この状態では、装置本体２のホット電極６が人体の一部Ｂ１に接触する。また、バンド３と人体の一部Ｂ１との間に装置本体２が介在するため、バンド３の連結部近傍部分３ｙと人体の一部Ｂ１との間隔を確保できる。これにより、バンド３内の基準電極３２と人体の一部Ｂ１との容量結合を低減できる。なお、連結部近傍部分３ｙは、バンド３における連結部９ｅ近傍の部分である。
【００９８】
この実施形態によれば、バンド本体３１に連結台５０が設けられ、その連結台５０の凹部５１に装置本体２が着脱可能に嵌ることで、簡易な構成で、装置本体２とバンド３とを互いに連結できる。
【００９９】
なお、本実施形態では、バンド本体３１及び連結部９ｅは、互いに一体に形成されているが、互いに別構成で構成されて、ねじ等で互いに固定されてもよい。
【０１００】
また、本実施形態では、連結台５０の鍔部５２によって、凹部５１からの装置本体２の不意の抜けを抑制したが、凹部５１からの装置本体２の不意の抜けを抑制する手段は、上記の鍔部５２を用いる手段に限定されない。例えば、凹部５１の内周面に突部及び凹部のうちの一方を設け、装置本体２の外周面に突部及び凹部のうちの他方を設け、凹部及び突部が嵌り合うことで、凹部５１からの装置本体２の不意の抜けを抑制してもよい。
【０１０１】
なお、実施形態１〜３（変形例も含む）は、組み合わせて実施されてもよい。
【０１０２】
（まとめ）
第１の態様に係る人体通信装置（１）は、装着器具（３）と、装置本体（２）と、を備えている。装着器具（３）は、人体の一部（Ｂ１）に装着される。装置本体（２）は、人体を通信媒体の少なくとも一部に用いて通信を行う。装着器具（３）は、装着器具本体（３１）と、基準電極（３２）と、を有する。基準電極（３２）は、装着器具本体（３１）に設けられている。装置本体（２）は、ホット電極（６）と、接続部（７）と、回路基板（８）と、ケース（９）と、を有する。ホット電極（６）は、装着器具（３）が人体の一部（Ｂ１）に装着された状態で人体と容量結合する。電気的接続、磁気的接続及び光学的接続のうちの少なくとも１つの接続方式を用いて、接続部（７）は、基準電極（３２）と着脱可能に接続されている。回路基板（８）は、ホット電極（６）及び接続部（７）と電気的に接続されている。ケース（９）には、ホット電極（６）、接続部（７）及び回路基板（８）が設けられている。ケース（９）及び装着器具（３）のうちの一方は、他方と着脱可能に連結する連結部（９ｅ）を有する。
【０１０３】
この構成によれば、ケース（９）及び装着器具（３）のうちの一方は、他方と着脱可能に連結する連結部（９ｅ）を備えるため、ケース（９）と装着器具（３）とを機械的に着脱可能に連結できる。また、装置本体（２）は、電気的接続、磁気的接続及び光学的接続のうちの少なくとも１つの接続方式を用いて基準電極（３２）と接続分離可能に接続する接続部（７）を備える。このため、回路基板（８）と基準電極（３２）とを、電気的接続、磁気的接続及び光学的接続のうちの少なくとも１つの接続方式を用いて接続分離可能に接続できる。これにより、装置本体（２）と装着器具（３）とを、機械的に着脱可能に接続できると共に電気的接続、磁気的接続及び光学的接続のうちの少なくとも１つの接続方式を用いて接続分離可能に接続できる。この結果、装着器具（３）に基準電極（３２）を備えた人体通信装置（１）において、装着器具（３）を容易に交換できる。
【０１０４】
第２の態様に係る人体通信装置（１）では、第１の態様において、接続部（７）は、基準電極（３２）と非接触で接続する。
【０１０５】
この構成によれば、基準電極（３２）を装着器具本体（３１）の内部に密封できる。これにより、基準電極（３２）の錆び発生及び製造コストの抑制を図ることができる。また、連結部（９ｅ）の構造がシンプルになり、装着器具（３）の交換が容易になる。
【０１０６】
第３の態様に係る人体通信装置（１）では、第２の態様において、接続部（７）は、基準電極（３２）と容量結合する電極である。
【０１０７】
この構成によれば、接続部（７）と基準電極（３２）との非接触で電気的な接続を簡易な構造で実現できる。
【０１０８】
第４の態様に係る人体通信装置（１）では、第３の態様において、基準電極（３２）は、基準電極本体（３２ｃ）と、突出部（３２ｄ）と、を有する。突出部（３２ｄ）は、基準電極本体（３２ｃ）における接続部（７）との対向部分に、接続部（７）の側に突出している。
【０１０９】
この構成によれば、基準電極（３２）の突出部（３２ｄ）によって基準電極（３２）と接続部（７）との間隔をより小さくできる。この結果、基準電極（３２）と接続部（７）との容量結合の結合力を向上できる。
【０１１０】
第５の態様に係る人体通信装置（１）は、第１〜４の態様の何れか１つの態様において、装着器具本体（３１）は、装着器具（３）が人体の一部（Ｂ１）に装着された状態で人体の一部（Ｂ１）と対向する装着器具側対向面（３１ｒ）を有する。装着器具本体（３１）は、装着器具側対向面（３１ｒ）に、装着器具側対向面（３１ｒ）から突出したリブ（３１ｆ）を有する。
【０１１１】
この構成によれば、装着器具（３）が人体の一部（Ｂ１）に装着されたとき、装着器具本体（３１）の装着器具側対向面（３１ｒ）のリブ（３１ｆ）によって、装着器具本体（３１）の装着器具側対向面（３１ｒ）と人体の一部（Ｂ１）との間隔をより大きく確保できる。これにより、基準電極（３２）と人体の一部（Ｂ１）との間隔をより大きく確保できる。この結果、基準電極（３２）と人体との容量結合の結合力を低減できる。
【０１１２】
第６の態様に係る人体通信装置（１）では、第１〜５の態様の何れか１つの態様において、ケース（９）は、装着器具（３）が人体の一部（Ｂ１）に装着された状態で人体に対向するケース側対向面（９ｂ）を有する。連結部（９ｅ）は、ケース（９）において、ケース側対向面（９ｂ）と間隔を空けて配置されている。
【０１１３】
この構成によれば、装着器具（３）が人体の一部（Ｂ１）に装着された状態で、装着器具（３）における連結部（９ｅ）（すなわちケース（９））近傍の部分（３ａ，３ｙ）を人体からより遠ざけることができる。この結果、基準電極（３２）と人体との容量結合の結合力を低減できる。
【０１１４】
第７の態様に係る人体通信装置（１）では、第１〜６の態様の何れか１つの態様において、ケース（９）は、装着器具（３）が人体の一部（Ｂ１）に装着された状態で人体に対向するケース側対向面（９ｂ）を有する。ホット電極（６）、接続部（７）は及び基準電極（３２）は、この順に、ケース側対向面（９ｂ）の側からケース側対向面（９ｂ）に直交する方向に並んでいる。
【０１１５】
この構成によれば、ホット電極（６）、接続部（７）及び基準電極（３２）のうち基準電極（３２）を、ケース（９）のケース側対向面（９ｂ）から一番遠くに配置できる。これにより、ホット電極（６）、接続部（７）及び基準電極（３２）のうち基準電極（３２）を、人体から一番遠くに配置できる。この結果、基準電極（３２）と人体との容量結合の結合力を低減できる。
【０１１６】
第８の態様に係る人体通信装置（１）では、第１〜７の態様の何れか１つの態様において、ケース（９）は、連結部（９ｅ）と装着器具（３）とが連結した状態で、装着器具（３）と対向する部分に壁部（９１，９２）を有する。
【０１１７】
この構成によれば、連結部（９ｅ）からケース（９）内部が露出することを低減できる。ケース（９）の密閉性を向上できる。
【０１１８】
第９の態様に係る人体通信装置（１）では、第１〜８の態様の何れか１つの態様において、連結部（９ｅ）は、２つの開口部（９ｇ，９ｈ）と、貫通孔（９ｉ）と、を有する。２つの開口部（９ｇ，９ｈ）は、ケース（９）の外面（９ｃ）に設けられ、装着器具（３）が挿入可能である。貫通孔（９ｉ）は、２つの開口部（９ｇ，９ｈ）を繋ぐ。
【０１１９】
この構成によれば、装着器具（３）をケース（９）の貫通孔（９ｉ）に挿入することで、簡易な構造で、装着器具（３）と連結部（９ｅ）とを互いに連結できる。
【０１２０】
第１０の態様に係る人体通信装置（１）では、第１〜８の態様の何れか１つの態様において、連結部（９ｅ）は、凹溝部（２０）を有する。凹溝部（２０）は、ケース（９）の外面（９ｃ）に設けられ、装着器具（３）が挿入可能である。凹溝部（２０）の両端部は、ケース（９）の外面（９ｃ）に設けられた開口（２０ｅ，２０ｆ）に繋がっている。
【０１２１】
この構成によれば、装着器具（３）を装着器具（３）の側辺（３１ｈ）から凹溝部（２０）に挿入することで、簡易な構造で、装着器具（３）と連結部（９ｅ）とを互いに連結できる。
【０１２２】
第１１の態様に係る人体通信装置（１）では、第１〜８の態様の何れか１つの態様において、連結部（９ｅ）は、連結台（５０）と、凹部（５１）と、を有する。連結台（５０）は、装着器具本体（３１）に設けられている。凹部（５１）は、連結台（５０）に設けられ、装置本体（２）が着脱可能に嵌る部分である。
【０１２３】
この構成によれば、装着器具本体（３１）に連結台（５０）が設けられ、連結台（５０）の凹部（５１）に装置本体（２）が着脱可能に嵌ることで、簡易な構成で、装置本体（２）と装着器具（３）とを互いに連結できる。
【０１２４】
第１２の態様に係る人体通信装置（１）では、第１〜１１の態様の何れか１つの態様において、装着器具（３）は、平面視で互いに直交する長軸（Ｇ１）及び短軸（Ｇ２）を有するバンドである。装着器具（３）は、外力によって湾曲されない状態では長軸（Ｇ１）に沿った直線状態を維持する。装着器具（３）は、外力によって装着器具（３）の裏面（３１ｒ）側に湾曲されると、装着器具（３）の裏面（３１ｒ）側に長軸（Ｇ１）に沿って円弧状に湾曲する。
【０１２５】
この構成によれば、装着器具（３）を人体の一部（Ｂ１）に簡単に装着されることができる。
【０１２６】
第１３の態様に係る人体通信装置（１）では、第１〜１２の態様の何れか１つの態様において、装着器具本体（３１）は、２つの引出部（３１Ｌ，３１Ｒ）を有する。２つの引出部（３１Ｌ，３１Ｒ）は、装着器具本体（３１）がケース（９）と連結した状態で、ケース（９）の両側から引き出されている。基準電極（３２）は、装着器具本体（３１）において、ケース（９）と連結する部分（３１ｓ）から、２つの引出部（３１Ｌ，３１Ｒ）のうちの一方の引出部の側のみに配置されている。
【０１２７】
この構成によれば、装置本体（２）の両側に引き出された２つの引出部（３１Ｌ，３１Ｒ）のうち、一方の引出部のみに基準電極（３２）を設けることができる。この場合、２つの引出部（３１Ｌ，３１Ｒ）を人体の一部（Ｂ１）に巻き付けるとき、他方の引出部を一方の引出部と人体との間に配置する。これにより、他方の引出部を、基準電極（３２）と人体の一部（Ｂ１）との間隔をより大きく確保するためのスペーサとして利用できる。
【０１２８】
第１４の態様に係る装着器具（３）は、第１〜１３の態様の何れか１つの態様に記載の人体通信装置（１）で用いられる装着器具である。装着器具（３）は、装着器具本体（３１）と、基準電極（３２）と、を備えている。
【０１２９】
この構成によれば、上記の効果を奏する人体通信装置（１）に寄与する装着器具を提供できる。
【０１３０】
第１５の態様に係る装置本体（２）は、第１〜１３の態様の何れか１つの態様に記載の人体通信装置（１）で用いられる装置本体である。装置本体（２）は、ホット電極（６）と、接続部（７）と、回路基板（８）と、ケース（９）と、を有する。
【０１３１】
この構成によれば、上記の効果を奏する人体通信装置（１）に寄与する装置本体（２）を提供できる。
【符号の説明】
【０１３２】
１  人体通信装置
２  装置本体
３バンド（装着器具）
６  ホット電極
７  平行平板電極（接続部）
８  回路基板
９  ケース
９ｂ  裏面（ケース側対向面）
９ｃ  外周面（外面）
９ｅ  連結部
９ｇ，９ｈ  開口部
９ｉ  貫通孔
２０  凹溝部
２０ｅ，２０ｆ  開口
３１  バンド本体（装着器具本体）
３１ｆ  リブ
３１ｈ  側辺
３１ｒ  裏面（装着器具側対向面）
３１ｓ  中央部
３１Ｔ  基端部
３１Ｕ  先端部
３１Ｌ，３１Ｒ  引出部
３２  基準電極
３２ｃ  基準電極本体
３２ｄ  突出部
５０  連結台
５１  凹部
９１  筒壁部（壁部）
９２  Ｕ状壁部（壁部）
Ｂ１  人体の一部
Ｇ１  長軸
Ｇ２  短軸
【図１】
2020036174.tif 000003
【図２】
2020036174.tif 000004
【図３】
2020036174.tif 000005
【図４】
2020036174.tif 000006
【図５】
2020036174.tif 000007
【図６】
2020036174.tif 000008
【図７】
2020036174.tif 000009
【図８】
2020036174.tif 000010
【図９】
2020036174.tif 000011
【図１０】
2020036174.tif 000012
【図１１】
2020036174.tif 000013
【図１２】
2020036174.tif 000014
【図１３】
2020036174.tif 000015
【図１４】
2020036174.tif 000016